(57)【特許請求の範囲】
【請求項１】
デジタル放送信号を受信する受信装置において、
前記デジタル放送信号を受信するためのチューナと、
前記チューナで受信された放送信号を復号するデコーダと、
前記デコーダで復号された信号を記録するためのリムーバブルハードディスクが装着されるアダプタと、
前記チューナ及び前記アダプタに装着された前記リムーバブルハードディスクを制御し、前記リムーバブルハードディスクよりも発熱量が大きい制御部と、
筐体と、を有し、
前記筐体は、前記リムーバブルハードディスクの挿入口が設けられる前面と、該前面に対向する背面と、両側面と、該前面と背面及び両側面よりも大きい上面及び下面とを有し、
前記受信装置を前記筐体の上面側から見た場合において、前記筐体内部の左右いずれか一方の空間を第１空間、他方を第２空間としたときに、前記アダプタが前記第１空間に配置され、かつ前記デコーダ及び制御部が前記第２空間に配置されており、
前記筐体の前記第１空間側に吸入口が設けられ、前記筐体の前記第２空間側に排気口が設けられており、かつ
前記筐体の前記第１空間側の側面に、前記受信装置を縦置きする場合に該受信装置を支持するためのスタンドが取付可能な取付部が設けられ、該スタンドを用いて前記受信装置を縦置きする場合は、前記第１空間が下方に、前記第２空間が上方に位置するように構成されていることを特徴とする受信装置。
【請求項２】
請求項１記載の受信装置において、前記第２空間内に、前記排気口を通して前記筐体内部の空気を外部へ排出するための排気ファンが設けられていることを特徴とする受信装置。
【請求項３】
請求項１記載の受信装置において、前記吸入口が前記第１空間側の側面に設けられ、前記排気口が前記第２空間側の背面に設けられることを特徴とする受信装置。
【請求項４】
請求項３記載の受信装置において、更に、前記第２空間側の側面に別の吸入口が設けられることを特徴とする受信装置。
【請求項５】
請求項１記載の受信装置において、前記チューナを前記第１空間と前記第２空間のとの間に配置したことを特徴とする受信装置。
【請求項６】
請求項１記載の受信装置において、前記第２空間内であって、前記アダプタの前記下面側に、前記受信装置が待機状態において動作する、前記制御部よりも発熱量が小さいサブマイコンが配置されることを特徴とする受信装置。
【請求項７】
請求項６記載の受信装置において、前記第２空間内であって、前記アダプタの前記下面側には、更に、デジタル放送受信のためのカードの処理部が配置されることを特徴とする受信装置。
【請求項８】
請求項１記載の受信装置において、前記制御部と前記筐体とが熱伝導性シートを介して接続されることを特徴とする受信装置。
【請求項９】
請求項８記載の受信装置において、更に、前記マイコン及びデコーダが実装される基板を備え、前記制御部は前記基板の、前記筐体の下面と対向する面に設けられ、該下面には凹部が設けられ、前記制御部と前記下面の凹部が前記熱伝導性シートを介して接続されることを特徴とする受信装置。
【請求項１０】
請求項１記載の受信装置において、更に、前記デコーダで復号された信号を記録するための別のハードディスクを備え、該別のハードディスクは、前記第２空間内に設けられることを特徴とする受信装置。
【請求項１１】
請求項１０記載の受信装置において、前記別のハードディスクは前記リムーバブルハードディスクよりも発熱量が大きく、かつ前記第２空間内において前記制御部及びデコーダの前記上面側に設けられることを特徴とする受信装置。
【請求項１２】
請求項６記載の受信装置において、更に、前記マイコン、デコーダ及びサブマイコンが実装される基板と、前記基板に前記アダプタを取付けるための取付部材と、を備え、
前記取付部材は、前記基板と前記アダプタとの間に前記サブマイコンを配置可能にするための空間を形成することを特徴とする受信装置。
【請求項１３】
デジタル放送信号を受信する受信装置において、
前記デジタル放送信号を受信するためのチューナと、
前記チューナで受信された放送信号を復号するデコーダと、
前記デコーダで復号された信号を記録するための記録部と、
前記チューナと記録部を制御し、かつ前記記録部よりも発熱量が大きい制御部と、
筐体と、を備え、
前記筐体は、前面と、該前面に対向する背面と、両側面と、該前面と背面及び両側面よりも大きい上面及び下面とを有し、
前記受信装置を前記筐体の上面側から見た場合において、前記筐体内部の左右いずれか一方の空間を第１空間、他方を第２空間としたときに、前記記録部が前記第１空間に配置され、かつ前記デコーダ及び制御部が前記第２空間に配置されており、
前記筐体の両側面のそれぞれに、前記第１空間及び第２空間とそれぞれ連通する吸入口が設けられ、前記筐体の前記第２空間側の背面に排気口が設けられており、
前記受信装置を横置きする場合は前記筐体の下面が前記受信装置の設置面とされ、前記受信装置を縦置きする場合は前記筐体の前記第１空間側の側面が該受信装置の設置面とされることを特徴とする受信装置。
【発明の詳細な説明】
【技術分野】
【０００１】
本発明は、リムーバブル記録媒体を利用してデジタル放送の記録と再生を行う受信装置に関わる。
【背景技術】
【０００２】
近年、液晶パネルやＰＤＰ（ Plasma Display Panel ）等のＦＰＤ（ Flat Panel Display ）を使用することによって、テレビ受像機のは大型化と薄型化が進んできている。表示装置の更なる薄型化を実現するために、表示装置から、テレビジョン信号を受信するためのチューナをＦＰＤから分離して別体の受信装置（以下、これをチューナボックスと呼ぶ場合もある）とするものが、例えば特許文献１に知られている。また、受信装置で受信したテレビジョン信号等を記録媒体（例えばハードディスクレコーダ：ＨＤＤ）で録画する装置（いわゆるレコーダ）が例えば特許文献２に知られている。以下では、上記のようなチューナボックス及びレコーダのような装置を、ここでは受信装置またはデジタル放送受信装置と呼ぶこととする。
【０００３】
【特許文献１】特開２００５-０８６７２１号公報
【特許文献２】特開２００６−８５３９９号公報
【発明の開示】
【発明が解決しようとする課題】
【０００４】
上述の受信装置において、特に信号処理を制御するプロセッサは高速で動作させる必要があり、その動作中には筐体内部で最も発熱する。この発熱によって、受信装置の筐体内部の温度は、急激に上昇する。
ところで、大容量の記録媒体として、装置に対し着脱可能で、家庭、移動体、、モバイル等への映像コンテンツの移動が可能なリムーバブルなＨＤＤ（以下、これをリムーバブルＨＤＤと称する）を用いる場合もある。このリムーバブルＨＤＤは熱に弱く、例えば、使用温度範囲の高温側は５５［℃］である。従って、デジタル放送受信装置の使用中に、この温度以上の高温にならないように設計する必要がある。従来の冷却技術としては、特許文献２のように、ＨＤＤとＤＶＤ（ Digital Versatile Disc ）ドライブを有する電子機器において、筐体背面に設けた強制排気用のファンと電源、ＨＤＤ、及びＤＶＤドライブの相対位置を工夫することにより放熱性を向上させたことが記載されている。しかし、特許文献４では、高温での使用が難しいリムーバブルＨＤＤのようなユニットに対する考慮がなされていず、かつ、発熱性が最も高いプロセッサについても考慮されていない。更に、電子機器を縦置きにしたり、横置きにしたりすることについては考慮されていない。
ところが、デジタル放送受信装置のような家庭用の機器では、ユーザが縦置きや横置きにしたりして、置き方がそれぞれの家庭や場所によって異なるものであるが、特許文献１〜特許文献２には、そのような配慮はされていない。
本発明の目的は、上記のような問題を解決し、横置きや縦置きでのどちらの置き方であっても、使用時にリムーバブルＨＤＤの周辺温度が高温にならないような構成のデジタル放送受信装置を提供することにある。
【課題を解決するための手段】
【０００５】
上記の目的を達成するため、本発明のデジタル放送受信装置は、電子部品または機械部品が実装される筐体を備えるデジタル放送受信装置において、上記筐体内の第１の空間に、映像コンテンツを記録するリムーバブルハードディスクドライブを装着するためのアダプタを実装し、上記筐体内の第２の空間に、発熱量の大きな部品を実装したものである。
また好ましくは、本発明のデジタル放送受信装置は、上記筐体の第２の空間には、筐体内の空気を排出する排気ファンと、上記排気ファンが排出する空気を外部に排出する排気口と、上記筐体内の上記第２の空間に冷却用の空気を吸気するための第２の吸気口とを有し、上記筐体の第１の空間には、上記第１の空間に冷却用の空気を吸気するための第１の吸気口を有し、上記第１の吸気口から吸気された空気は、上記第１の空間を通って上記第２の空間に入って上記排気ファンと上記排気口を通って排出されるものである。
また好ましくは、本発明のデジタル放送受信装置は、上記デジタル放送受信装置を横置きしたときは、前面側から見て、左側若しくは右側のどちらか一方が第１の空間であって、他方が第２の空間であるように構成し、上記デジタル放送受信装置を縦置きしたときは、前面側から見て、下側が第１の空間であって、上側が第２の空間であるように構成したものである。
また好ましくは、本発明のデジタル放送受信装置は、上記排気口と上記排気ファンが上記デジタル放送受信装置の背面側に配設され、上記第１の吸気口が上記デジタル放送受信装置の側面側の外壁に配設され、上記第２の吸気口が上記デジタル放送受信装置の側面側の外壁に配設されたものである。
また好ましくは、本発明のデジタル放送受信装置は、上記第１の吸気口と第２の吸気口は、それぞれ、配設された側面の１部に集中して設けられたものである。
また好ましくは、本発明のデジタル放送受信装置は、上記デジタル放送受信装置を縦置きする場合に使用するスタンドを取付けるための取付け部を、上記第１の排気口が配設された側面外壁に備え、上記デジタル放送受信装置が縦置きされた場合には、上記スタンドにより、上記筐体下部と接地面との間に吸気可能なスペースができるものである。
また好ましくは、本発明のデジタル放送受信装置は、上記第１の空間には更に発熱量の小さい部品を実装し、上記第２の空間に実装される発熱量の大きい部品としてメインマイコン及び信号処理用部品を実装したものである。
また好ましくは、本発明のデジタル放送受信装置は、上記第２の空間に実装される発熱量の大きい部品面に、高熱伝導性シートを介して外部に面したシャーシ（筐体）とが接触する構成として、冷却性能を向上させたものである。
また好ましくは、本発明のデジタル放送受信装置は、チューナを上記第１の空間と上記第２の空間の境界部に配置したものである。
【発明の効果】
【０００６】
本発明によれば、リムーバブルＨＤＤが使用温度範囲を越えないように効率良く冷却することが可能なデジタル放送受信装置が提供できる。
【発明を実施するための最良の形態】
【０００７】
本発明のデジタル放送受信装置は、発熱量の大きな部品と発熱量が小さい部品とをそれぞれ筐体内の別々の空間に配設し、発熱量の小さい部品を実装した空間に、大容量の記録媒体として、装置に対し着脱可能で、家庭、移動体、、モバイル等への映像コンテンツの移動が可能なリムーバブルＨＤＤ（例えば、カートリッジタイプのリムーバブルＨＤＤがある）を配置するようにリムーバブルＨＤＤのアダプタを実装し、リムーバブルＨＤＤが装着されていてもリムーバブルＨＤＤの周辺の温度が高くならないようにしたものである。
また、好ましくは、発熱量の大きな部品を実装した空間の空気を排出するように排気ファンを設け、高温の空気がリムーバブルＨＤＤが装着される空間に流れないようにしたものである。
また、好ましくは、デジタル放送受信装置を横置きの状態で設置したときに、前面側からみて、左側若しくは右側の空間にリムーバブルＨＤＤのアダプタと発熱量の小さい部品を配置し、その反対側の空間に発熱量の大きな部品を配置する構成とし、縦置き状態でも高温の空気がリムーバブルＨＤＤを装着した空間に流れないようにしたものである。
また更に好ましくは、側面側の前面部に近い場所に冷却用空気の取り入れ口を設け、冷却用の空気が発熱量の大きな部品で構成した回路基板を配置した空間とリムーバブルＨＤＤを配置した空間からファンに効率的に流れるようにしたものである。
また、好ましくは、デジタル放送受信装置が縦置き状態のときには、リムーバブルＨＤＤが装着される空間の側面部だけにスタンド部が取り付けられる構造とし、縦置きされた場合には、必ず下側にリムーバブルＨＤＤが装着された空間があり、上側に発熱量の大きな部品を実装した空間があるように構成し、高温の空気がリムーバブルＨＤＤを装着した空間に流れないようにしたものである。
また、好ましくは、デジタル放送受信装置が縦置き状態のときには、リムーバブルＨＤＤが装着される空間の側面部だけにスタンド部が取り付けられる構造とし、縦置きされた場合には、必ず下側にリムーバブルＨＤＤが装着された空間があり、上側に排気用のファンがあるように構成したものである。
また、好ましくは、デジタル放送受信装置が横置きされたときの状態で、リムーバブルＨＤＤが装着された空間（例えば、空間の上側若しくは下側）に、発熱量が小さい部品を実装した構成とし、熱に弱いリムーバブルＨＤＤが高温にならないようにしたものである。
また、メインマイコン、デコーダ等の信号処理部、などの特に発熱量が大きな部品面に、高熱伝導性シートを介して外部に面したシャーシ（筐体）とが接触する構成とし、冷却性能を向上させたものである。
【０００８】
以下、添付図面を参照しながら本発明の実施形態を詳細に説明する。なお、各図において、共通な機能を有する構成要素には同一の参照番号を付し、できるだけ説明の重複を避けるため、説明を省略する。
【０００９】
図１によって、本発明のデジタル放送受信装置の一実施例を説明する。図１は、本発明のデジタル放送受信装置の一実施例の構成を説明するための図である。１００はデジタル放送受信装置、１０１はデジタル放送受信装置１００の前面、１０２はデジタル放送受信装置１００の背面、１０３はデジタル放送受信装置１００の上面、１０４はデジタル放送受信装置１００の下面、１０５はデジタル放送受信装置１００の左側面、１０６はデジタル放送受信装置１００の右側面、１４１は前面１０１側に設けられたリムーバブルＨＤＤ（ Hard Disk Drive ）のスロット、１４２は前面１０１側に設けられたＢ−ＣＡＳ（ BS−Conditional Access System ）のスロット、１４３は電源オン（ＯＮ）オフ（ＯＦＦ）用ボタンスイッチ、１４４はデジタル放送受信装置１００の状態を示すための表示用ＬＥＤ（ Light Emitting Diode ）、１４５はリモコン操作の光信号を受信するリモコン受光部、１５１−１は左側面１０５に設けられた吸気口、１５１−２は右側面１０５に設けられた吸気口、１５２は背面１０２の右側面１０６側に設けられた排気用ファンの排気した空気を外に出すために設けられた排気口である。
【００１０】
図１（ａ）は、デジタル放送受信装置１００の外観を示す斜視図で、デジタル放送受信装置１００が横置き状態のときの図である。図１（ｂ）は、図１（ａ）から、前面１０１を覆うカバーを外した時の前面の外観、及び、前面１０１と上面１０３を透過して、背面１０２に設けた排気口１５２と右側面１０６に設けた吸気口１５１−２を示した図である。また、図１（ｃ）は、デジタル放送受信装置１００を縦置きした時の図１（ｂ）と同様に描いた図である。縦置きの場合には、下側が左側面１０４、上側が右側面１０６になる。ここで、横置きとは、テーブルや机、床などの平面に下面１０４を対向させるように配置する、つまり下面１０４を載置面として配置する置き方である。一方、縦置きとは、テーブルや机、床などの平面に左側面１０５を対向させるように配置する、つまり左側面１０５を載置面として配置する置き方である。尚、図示しないが、本実施例では、筐体の上面１０３、下面１０４、左側面１０５、及び右側面１０６のそれぞれには、意匠性を高めるための樹脂製の化粧板が装着される。
【００１１】
図１において、横置き若しくは縦置きにされた本発明のデジタル放送受信装置１００は、リムーバブルＨＤＤが設置される左側空間と排気ファンが設置される右側空間とに分かれた構造となっている。
また、デジタル放送受信装置１００の背面１０２には、図示していないが、排気口１５２の他に、外部機器と接続するために必要となる各種の入出力端子と、ＡＣアダプタから電源を供給するためのアダプタ用の端子が設けられており、排気口１５２以外の空気の吸気口若しくは排気口（流出入口）は設けていない。また、前面１０１、上面１０３、及び下面１０４には空気の流出入口を設けていない。更に、左側面１０５及び右側面１０６には、吸気口１５１−１と１５１−２以外に空気の吸気口若しくは排気口を設けていない。
従って、図１（ｂ）のように横置きの場合には、排気用のファンのよって、排気口１５２から強制的にデジタル放送受信装置１００の筐体内の空気が噴出される。このため、左側面１０５の吸気口１５１−１と右側面１０６の吸気口１５１−２から、デジタル放送受信装置１００の筐体内の空気が流入する。
なお、図１では、吸気口１５１−１、１５１−２及び排気口１５２は、斜線で網掛けしているが、実際には複数の小穴が多数孔けられた集合体である。また、左側面１０５の吸気口１５１−１と右側面１０６の吸気口１５１−２は、それぞれ、配設された側面（左側面１０５、右側面１０６）の１部に、排気口１５２から遠い位置に設けられている。
【００１２】
このように、デジタル放送受信装置１００の筐体内に発生した熱は、筐体内の空気を排気口１５２から噴出することによって放熱し、代わりに冷たい空気が吸気口１５１−１及び１５１−２から流入することによって筐体内の部品が冷却される。更に、図１（ｂ）において、右側空間（空間Ｌ）には、デコーダやメインマイコン等の画像処理用の部品などで代表される発熱量が大きい部品が実装されている。また、左側空間（空間Ｈ）には、高温にしてはいけない部品が実装されているため、右側空間で発生する熱が左空間に流れ込まないようにする必要がある。しかし、筐体内の熱い空気は、右側空間の背面内の排気用のファンによって強制的に外部に噴出するので、熱い空気が左側空間に流れ込まない。また後述するように、右側空間と左側空間の境界部に、チューナ等の背の高い部品を実装することによって、更に右側空間で発生する熱い空気が左側空間に流れ込まない。
更に、図１（ｃ）においては、熱い空気が軽くなって上昇する性質が加わって、更に冷却効率が高まる。
【００１３】
次に、図２によって、本発明のデジタル放送受信装置の筐体内部の部品配置の概略を説明する。図２は、本発明のデジタル放送受信装置の筐体内部の簡単な部品配置を説明するための図で、図１（ａ）または（ｂ）は、横置きのデジタル放送受信装置１００での上方（上面１０３）の方から下方（下面１０４）を見たもので、筐体の上面１０３を取り外した状態の図である。２００はリムーバブルＨＤＤのアダプタ、２０１はメインマイコン、２０２はデコーダ、２０３はチューナ、２０４は外部機器との接続若しくは電源供給のための端子、２０５はサブマイコン、２０６はトランスミッタ、２０７はＢ−ＣＡＳアダプタ、２０８は装置の組み立て用のビス穴部、２０９は排気用のファン、２１０は基板、２１１は筐体の外壁である。また、その他、点で網かけした方形部部分は基板２１０に実装された部品であり、更にその枠が破線のものは、基板２１０の裏面（下面１０４）側に実装されている部品である。
なお、基板２１０は、ガラスエポキシ多層配線基板であって、図示した部品の他にも、部品が実装されているが、煩雑なため省略している。また、基板２１０はメイン基板であって、このほかにも配線基板が組み込まれている場合がある。
【００１４】
図２のデジタル放送受信装置１００の筐体内部において、基板２１０は、上面１０３及び下面１０４とほぼ平行（設置面にほぼ水平）に組み込まれ、基板２１０の右側面１０６側には、メインマイコン２０１やデコーダ２０２等の映像信号処理部等の発熱量の大きい部品を実装している。一方、リムーバブルＨＤＤのアダプタ２００を組み込む側、即ち基板２１０の右側面１０５側には、サブマイコン２０５、トランスミッタ２０６、及び、Ｂ−ＣＡＳ処理部２０７、等、発熱量の小さい部品を実装している。
ここで、メインマイコン２０１は、デジタル放送受信装置１００の通常動作時においてリムーバブルＨＤＤ、デコーダ２０２、チューナ２０３等を制御するように動作するものであり、デジタル放送受信装置１００に実装される各種部品の中で最も高い発熱量を持つ。ここで、通常動作とは、デジタル放送受信装置１００がデジタル放送を受信してその受信信号を復調、デコード、及びその他信号処理を行って、リムーバブルＨＤＤに記録もしくは外部に出力可能となっている状態のことを指すものとする。またデコーダ２０２は、受信したデジタル放送信号をデコードするものであり、これもまた、メインマイコン２０１と同等の発熱量をもっている。このように、本実施例では、通常動作時にいて発熱量が比較的大きくなるメインマイコン及び／またはデコーダを右側空間に実装している。尚、メインマイコン２０１とデコーダ２０２は一体化（１チップ化、等）してもよい。
また、サブマイコン２０５は、デジタル放送受信装置１００が待機状態、すなわち主電源がＯＦＦ（オフ）の状態においてリモコンからのコマンドに応答可能な状態となるものであり、リモコンからの電源ＯＮ（オン）コマンドに応答してデジタル放送受信装置１００の電源を立ち上げるように動作する。このサブマイコン２０５はメインマイコン２０１と比較して発熱量が低く、その発熱によってリムーバブルＨＤＤの動作への影響が無いもしくは小さいため、リムーバブルＨＤＤのアダプタ２００が配置される基板２１０の右側面１０５側に実装されている。Ｂ−ＣＡＳ処理部２０７も同様に発熱が小さいために右側面１０５側に実装されている。当然、サブマイコン２０５、Ｂ−ＣＡＳ処理部２０７以外の部品を右側面１０５側に実装してもよい。動作中の発熱が、例えばリムーバブルＨＤＤの使用温度範囲の上限である５５［℃］を超えない部品であれば、右側面１０５側に実装することが可能である。
【００１５】
図２の配置について、図３を用いて、一般的な空間として説明する。図３は、本発明の一実施例のリムーバブルＨＤＤの配置について説明するための図である。図２のデジタル放送受信装置１００は、６面を筐体で囲まれ、空気の流路としては、吸気口１５１−１と１５１−２、及び、排気口１５２があるだけである。
図３において、デジタル放送受信装置１００は、８つの点、Ｐ３１、Ｐ３３、Ｐ３４、Ｐ３６、Ｐ１１、Ｐ１３、Ｐ１４、及びＰ１６で囲まれた直方体で表わされる。そして、点Ｐ３２、Ｐ３５、Ｐ１５、及びＰ１２を通る平面で、２つの空間ＬとＨとに分離される。そして、空間Ｌは、図１、図２では、リムーバブルＨＤＤのアダプタ２００が組み込まれる空間であり、空間Ｈは、排気用のファン２０９と高発熱部品（例えば、部品２０２、２０１）が実装されている基板領域がある空間である。
【００１６】
更に、空間Ｌと空間Ｈは、それぞれ２つの空間に分かれる。即ち、空間Ｌは、点Ｐ２１、Ｐ２２、Ｐ２５、及びＰ２６を通る平面によって、上下に分離され（それぞれ、空間Ｌ上及び空間Ｌ下と称する）、空間Ｈは、点Ｐ２２、Ｐ２３、Ｐ２４、及びＰ２５を通る平面によって、上下に分離される（それぞれ、空間Ｈ上及び空間Ｈ下と称する）。
空間Ｌ上（点Ｐ３１、Ｐ３２、Ｐ３５、Ｐ３６、Ｐ２１、Ｐ２２、Ｐ２５、及びＰ２６で囲まれた直方体）内に、熱に弱い部品であるリムーバブルＨＤＤのアダプタ２００を配置し、その下の空間Ｌ下（点Ｐ１１、Ｐ１２、Ｐ１５、Ｐ１６、Ｐ２１、Ｐ２２、Ｐ２５、及びＰ２６で囲まれた直方体）内に、あまり発熱しない部品、例えば、電源オフ時に待機するために起動しているサブマイコン２０５やトランスミッタ２０６、Ｂ−ＣＡＳ処理部、等）を配置し、熱に弱い部品であるリムーバブルＨＤＤのアダプタ２００が高温にならないようにしている。
すなわち本実施例は、空間Ｌにおいて、リムーバブルＨＤＤが挿入されるアダプタ２００を配置するとともに、そのアダプタの下に発熱が小さいサブマイコン２０５やＢ−ＣＡＳ処理部２０７を基板２１０に実装している。これによって、リムーバブルＨＤＤを熱的に保護しながら基板２１０への各種部品の集積度を高めてデジタル放送受信装置全体の寸法を小さくしている。
ここで、リムーバブルＨＤＤのアダプタ２００は、基板２１０に、アダプタ２００と基板２１０との間に所定の空間を形成するように、筐体及び基板２１０と結合される。その様子を図９に示す。図９（ａ）はリムーバブルＨＤＤのアダプタ２００と、該アダプタ２００を基板２１０及び筐体の左側面板１０５と結合するための結合部材としての金具９０１との関係を示している。金具９０１は平面部９０２が形成されており、この平面部９０２にアダプタ２００が載置され、４つのネジ９０６によってアダプタ２００と結合される。更に、金具９０１は、これにより基板２１０と結合される、アダプタ２００の側面から見た形状がＬ字状の支持部９０３と、筐体の左側面板１０５′を挟持するための第１挟持部９０４及び第２挟持部９０５とを備えている。当該第１挟持部９０４及び第２挟持部９０５をアダプタ２００のスロット１４１側から見たときに、第１挟持部９０４と第２挟持部９０５との間には、左側面板１０５′を挟持するための隙間が設けられている。
図９（ｂ）は金具９０１を筐体の左側面板１０５′に取り付けた様子を筐体の左側面１０５側から見た図である。この図に示されるように、筐体の左側面板１０５′には、金具９０１の２つの第１挟持部９０４とそれぞれ対応する位置に、切欠９０７が形成されている。この切欠９０７に第１挟持部９０４を嵌め込んで下方へスライドさせる。その後、第１挟持部９０４をネジ９０８で左側面板１０５′に固定する。このとき、第１挟持部９０４と第２挟持部９０５は、図９（ｃ）に示されるように、左側面板１０５′をサンドウィッチしている。更に、金具９０１の支持部９０３は、基板２１０とネジ９０９によってネジ止めされて結合される。
ここで、金具９０１の高さ、つまり基板２１０の面と直交する方向の寸法は、例えば１０〜２０ｍｍ程度とされている。これによって、アダプタ２００と基板２１０との間には、図９（ｃ）に示されるように、金具９０１により規定された高さＨの空間が形成されている。この空間において、上述した発熱の小さい部品である、例えばＢ−ＣＡＳ処理部２０７を基盤２１０上に実装している。尚、上述したように、筐体の左側面板１０５′の外部は化粧板が装着されて被覆されるので、切欠９０７及び第１挟持部９０４は外部から視認されない。
【００１７】
また、高温となる空間Ｈでは、実装基板は、空間Ｈ下（点Ｐ１２、Ｐ１３、Ｐ１４、Ｐ１５、Ｐ２２、Ｐ２３、Ｐ２４、及びＰ２５で囲まれた直方体）内に配置され、空間Ｈ上（点Ｐ３２、Ｐ３３、Ｐ３４、Ｐ３５、Ｐ２２、Ｐ２３、Ｐ２４、及びＰ２５で囲まれた直方体）には、内蔵型（ビルトインタイプ）のＨＤＤが配置できるようにスペースを設けている。
更に、背の高い部品、例えばチューナ２０３を空間ＬとＨの境界部分に実装することによって、空間Ｌと空間Ｈとの壁を作り空間Ｈの熱い空気が空間Ｌに流れ込まないような防壁となっている。
【００１８】
図１〜図３の実施例によれば、デジタル放送受信装置を２つの空間に分け、メインマイコンやデコーダ等の発熱量が多い部品と、熱に弱いリムーバブルＨＤＤ等の部品とを、それぞれ別の空間に組み込み、更に、強制的に排気して高熱の空気を外に出すファン２０９を発熱量の多い部品が組み込まれた空間の筐体外壁に設け、外部の冷たい空気を吸入するための吸気口を、それぞれの空間の筐体外壁に設け、横置き、縦置きのいずれの置き方で設置されても、冷却効率が良いデジタル放送受信装置を実現した。
【００１９】
図７と図８によって、本発明のデジタル放送受信装置の他の実施例を説明する。
図７と図８は、本発明のデジタル放送受信装置にＨＤＤを内蔵した実施例である。７０１は内蔵型ＨＤＤで、図７は上面１０３から下方を見た図（上部のふたを透過した平面図）である。また、図８は、図７のＡ−Ａ線での略断面図である。
また図７では、Ｂ−ＣＡＳ処理部２０７は、リムーバブルＨＤＤのアダプタ２００の下で見えないが、参考のため破線で示した。
なお、基板２１１、リムーバブルＨＤＤのアダプタ２００、内蔵型ＨＤＤ７０１、等では、ネジ類他、接続用若しくは支持用の金具、スペーサ、等を省略している。
【００２０】
ここで、リムーバブルＨＤＤにはＤＣ電圧５［Ｖ］が供給され、内蔵型ＨＤＤ７０１にはＤＣ電圧１２［Ｖ］／５［Ｖ］が供給される。従って、内蔵型ＨＤＤ７０１は、リムーバブルＨＤＤに比べて消費電力が大きく発熱量が高い。よって本実施例では、排気ファン２０９が配置されるに空間Ｈに内蔵型ＨＤＤ７０１を配置している。このようにすれば、内蔵型ＨＤＤ７０１からの熱は排気ファン２０９に導かれるため、リムーバブルＨＤＤに伝わる内蔵型ＨＤＤ７０１からの熱を低減することができる。また、デジタル放送受信装置を縦置きした場合、発熱量が小さいリムーバブルＨＤＤが下側、発熱量が大きい内蔵型ＨＤＤ７０１が上側に位置するので、縦置きの場合は特に、リムーバブルＨＤＤを内蔵型ＨＤＤ７０１の発熱から良好に保護することができる。更に、内蔵型ＨＤＤ７０１は使用温度範囲の上限が高いため、発熱量が大きい部品が実装される空間Ｈ側に配置しても問題なく動作できる。
また、図７と図８で分かるように、リムーバブルＨＤＤのアダプタ２００や内蔵型ＨＤＤ７０１は大きく、かつ、内部には冷却用の空気が流れない構造となっている。従って、冷却用の空気は、それらの構造物の外壁に沿って流れ、それらから熱を吸収して、外部に熱を排出する。本実施例では、図１〜３で説明した例と同様に、発熱部品が少なくかつ熱に弱い部品を主として実装する空間Ｌと、発熱量が大きく発熱部品を主として実装する空間Ｈとにそれぞれ吸気口を設け、発熱量が大きい空間Ｈの、吸気口と逆側に強制排気用のファンと排気口を設けることで、空間Ｈで発生する熱は空間Ｌに流入せず、直かに外部に排熱され、かつ空間Ｌで発生する熱も空間Ｈを通って排気されるが、空間Ｌから空間Ｈを通る空気の温度は、もともと空間Ｈの温度より低いため、空間Ｌからの空気も空間Ｈの冷却に貢献する。このようなことにより、本発明のデジタル放送受信装置の構成によって、筐体内部に発生する熱量を効率良く排出することができ、リムーバブルＨＤＤの温度も使用温度限界を越えない。
【００２１】
また図１〜図３の実施例では、横置き状態の場合に、左側面１０５が使用温度範囲の高温側が低い部品の実装された空間Ｌで、右側面１０６が発熱量が大きい部品が実装された空間Ｈであった。しかし、左右反対でも良いことは自明であり、左側面１０５が空間Ｈ、右側面１０６が空間Ｌであっても良い。その場合には、縦置きにした時に、空間Ｌである右側面１０６が下で、空間Ｈである左側面１０５が上となるようにスタンドを配設する。
【００２２】
なお、電気部品や機械部品を筐体に実装する場合には、筐体にネジ止め用の穴や、相互指示用の穴や挿入口を設けなければならないため、外部との効果的遮断ができない。従って、図８で分かるように、筐体外部に更に密封のための外壁を設け、吸気口と排気口を限定するようにしている。そして、このような外壁の効果で、多少機会的な寸法ずれ等に基づく開口部や、設計上必要な微小に開けられた開口部があったとしても、冷却用空気の流路には重大な影響を与えない。
【００２３】
次に、図４によって、デジタル放送受信装置の縦置きをする場合に、設置底面が必ず左側面１０５（図１参照）で、上方が右側面１０６になるための構成について説明する。図４は、本発明のデジタル放送受信装置の一実施例の外観を示す斜視図である。４００は本発明のデジタル放送受信装置、４０１はデジタル放送受信装置４００の本体、４０２はデジタル放送受信装置４００のスタンド、４０３はスタンド４０２のネジ穴、４０４は本体４０１とスタンド４０２とをネジ止めしているネジ止め部である。
図４（ａ）は、デジタル放送受信装置４００の本体４０１にスタンド４０２が取付けられ、縦置きされている斜視図、図４（ｂ）は、スタンド４０２の一実施例を示す斜視図である。
【００２４】
図４において、デジタル放送受信装置４００は、机上等の床面に縦置きされている。このとき、デジタル放送受信装置４００は、デジタル放送受信装置４００の本体４０１とスタンド４０２とが本体４０１の左側面１０５の外壁に設けられたネジ穴とスタンド４０２に設けたネジ穴４０３とでネジ止め部４０４でネジ止めされることによって固定されている。この時、左側面１０５は直接床面と接触すると吸気口１５１−１が塞がれ、冷却用の空気が入らなくなる。これを防ぐために、スペースｄの高さの隙間ができるように構成している。
【００２５】
なお、スタンド４０２は上記のように取り外し自由であるが、本体４０１のネジ穴は吸気口として働いても、微量なので問題がない。また、問題が有る場合には、スタンド４０２が取り外された状態でも、予めネジ穴から空気が流入しないように、本体内に弁を設ける等で塞ぐ構成とすれば良い。
図５によって、本発明のデジタル放送受信装置の別の実施例を説明する。図５は、図４と同様に、スタンドをデジタル放送受信装置本体に取付ける構成であって、本体とスタンドが一体化構造若しくは、スタンドをとりはずさなくても横置き可能な構造としたものである。図５（ａ）〜図５（ｃ）はそれぞれ別の実施例の構造について示した図である。図５（ａ）〜図５（ｃ）それぞれについて、左が、横置きで前面１０１から見た図、中央が、縦置きで前面１０１から見た図、右が縦置きで右側面１０６から見た図である。４０１ａ〜４０１ｃはデジタル放送受信装置の本体、４０２ａ〜４０２ｃ、４０２ｃ′はスタンド部である。その他の構成要素は省略している。
【００２６】
図５（ａ）において、スタンド部４０２ａは、横置き状態でも静置可能なように、左側面１０５と右側面１０６にそれぞれ２つ取り付ける。また、縦置きの時に、右側面１０６を下にして置くと不安定になるか若しくは靜置できないように２つのスタンド部の間隔を接近させて配置している。
また図５（ｂ）において、前面１０１から見て本体の形状を楕円形として、右側面１０６のスタンド４０２ｂを１つとしている。このように右側面１０６の形状を、丸みのある形状、若しくは先が細くなる形状にすることにより、この面を下にして靜置できないようにしている。また、上面１０３を下にして置いた場合にも、斜めに置かれることになるので、不安定感があり、ユーザが置きにくい構造である。
また、図５（ｃ）は、左側面１０６のスタンド４０２ｃ′にデジタル放送受信装置を持つための取っ手をつけた取手部５０１を設けている。この形状により、持ち運びぶ時に便利でかつ、左側面１０６を下にして靜置できないようにすることができる。
【００２７】
図５の実施例によれば、取り外し不可能でも横置きが可能で、かつ、縦置きの場合でも、右側面１０６が床面にすると不安定な構成にすることもできる。
また、図５（ｃ）の実施例によれば、取手としても使用できるため、持ち運びに便利である。
【００２８】
次に、図６によって、本発明の他の実施例を説明する。図６は本発明のデジタル放送受信装置における高発熱部品の冷却を更に向上するための概略構造を説明するための筐体部分の一部の断面図である。６０１はメインマイコン、６１０は基板、６２０はデジタル放送受信装置の下面１０４の筐体部、６２１は筐体部６２０の凹部、６２２は凹部６２１に接着された熱伝導性シート、６０２はメインマイコン６０１を基板６１０に電気的及び機械的に接続するためのはんだボールである。
【００２９】
図６において、筐体部６２０の凹部６２１は、メインマイコン６０１等の発熱部品と対向する位置に設け、凹部６２１のメインマイコン６０１側の面に熱伝導性シート６２２を接着剤によって接着している。そして、基板６１０の下面にはんだボール６０２によって接着されたメインマイコン６０１があり、メインマイコン６０１と熱伝導性シートが接着するように構成している。
【００３０】
この構成によって、メインマイコン６０１等の発熱部品から発生する熱は、図６の矢印で示したように、熱伝導性シート６２２を介して筐体部６２０に伝達され、外部に放熱される。上述したデコーダ２０２などの信号プロセッサについてこのように基板６１０と実装してもよい。また、上記メインマイコン６０１は、信号プロセッサとを一体化され１チップ化されたものでもよい。
従って、発熱部品の熱が下面１０４からも外部に放熱されるので、冷却性能が向上する。
なお、図６では、筐体部６２０に凹部６２１を設けたが、凹部６２１の形状はこの形状に限らない。また、凹部６２１を設けず、導電性の金属の台座を設けて熱伝導性シート６２２を貼り付けても良い。また更に、凹部６２１を設けずに、直接熱伝導性シート６２２を貼り付けても良い。
【００３１】
上述の図１〜図８の実施例のように、本発明のデジタル放送受信装置は、横置きの状態で使用されても縦置きの状態で使用されても、効率的に発生した熱を外部に排気でき、熱に弱い部品の温度が使用温度限界まで上昇しない。
また、排気用のファンも少なくできるため、生産コスト及び消費電力を低減できた。また、熱に弱い部品の温度が使用温度限界まで上昇しないため、信頼性が向上し、かつ耐用年数を増加することができた。
なお、本実施例では、ＡＣ電源を供給せず、別途ＡＣ−ＤＣコンバータを用いて、直接必要なＤＣ電圧を供給する構成としたため、消費電力及び発熱量を低減できた。しかし、将来的には、ＡＣ−ＤＣコンバータを内蔵したデジタル放送受信装置も可能である。
【図面の簡単な説明】
【００３２】
【図１】本発明のデジタル放送受信装置の一実施例の構成を説明するための図。
【図２】本発明のデジタル放送受信装置の筐体内部の簡単な部品配置を説明するための図。
【図３】本発明のデジタル放送受信装置の一実施例のリムーバブルＨＤＤの配置について説明するための図。
【図４】本発明のデジタル放送受信装置の一実施例の外観を示す斜視図。
【図５】本発明のデジタル放送受信装置の一実施例の外観を示す斜視図。
【図６】本発明の冷却構造の一実施例を示す断面図。
【図７】本発明のデジタル放送受信装置の筐体内部の部品配置を説明するための図。
【図８】本発明のデジタル放送受信装置の筐体内部の部品配置を説明するための図。
【図９】リムーバブルＨＤＤのアダプタと受信装置の筐体との取り付けの様子を示す図。
【符号の説明】
【００３３】
１００：デジタル放送受信装置、  １０１：前面、  １０２：背面、  １０３：上面、  １０４：下面、  １０５：左側面、  １０５′：左側面板、  １０６：右側面、  １４１リムーバブルＨＤＤのスロット、  １４２：Ｂ−ＣＡＳのスロット、  １４３：電源オンオフ用ボタンスイッチ、  １４４：ＬＥＤ、  １４５：リモコン受光部、  １５１−１、１５１−２：吸気口、  １５２：排気口、  ２００：リムーバブルＨＤＤのアダプタ、  ２０１：メインマイコン、  ２０２：デコーダ、  ２０３：チューナ、  ２０４：端子、  ２０５：サブマイコン、  ２０６：トランスミッタ、  ２０７：Ｂ−ＣＡＳ処理部、  ２０８：ビス穴部、  ２０９：ファン、  ２１０：基板、  ２１１：外壁、  ４００：デジタル放送受信装置、  ４０１、４０１ａ〜４０１ｃ：本体、  ４０２：スタンド、  ４０２ａ〜４０２ｃ、４０２ｃ′：スタンド部、  ４０３：ネジ穴、  ４０４：ネジ止め部、  ６０１：メインマイコン、  ６１０：基板、  ６２０：筐体部、  ６２１：凹部、  ６２２：熱伝導性シート、  ６０２：はんだボール。
【図１】
0005086047.tif 000002
【図２】
0005086047.tif 000003
【図３】
0005086047.tif 000004
【図４】
0005086047.tif 000005
【図５】
0005086047.tif 000006
【図６】
0005086047.tif 000007
【図７】
0005086047.tif 000008
【図８】
0005086047.tif 000009
【図９】
0005086047.tif 000010